(57)【要約】【課題】ごみ袋が使用時に開放状態に、不使用時に閉塞状態にそれぞれ変換されるようにして、ごみ袋の使用時の使い勝手性と不使用時の衛生性との両立を図ることができるごみ袋用スタンドを提供する。【解決手段】上片部２１を有する前後の各ベース体２の脚片部２２同士が支持軸２３を介して回転自在に支持され、各上片部２１が開放位置まで開放した際に各脚片部２２の回転を規制する。上片部２１よりも内側にごみ袋Ｇの開口縁部Ｇ１を折り返して把持する前後の各内側上片部３１が内側脚片部３２を介して支持軸２３に回転自在に支持された内側回転体３と、各内側上片部３１及び各上片部２１の間に前後の各外側上片部４１が外側脚片部４２を介して支持軸２３に回転自在に支持された外側回転体４とを備え、外側上片部４１を内側回転体３の付勢力により開放位置に、ごみ袋Ｇの開口縁部Ｇ１を閉じるように内側回転体３をその付勢力に抗して閉塞位置に夫々変換する。【選択図】図６
0003225452.tif 000002
【実用新案登録請求の範囲】
【請求項１】
左右方向へ延びる上片部と前記上片部の両端よりそれぞれ下方へ延びる左右の脚片部とを有し、かつ前記左右の脚片部同士が互いに交差する中途部においてそれぞれ支持軸を介して回転自在に支持された前後一対のベース体と、
前記ベース体に設けられ、前記各上片部が互いに離間する開放位置まで回転した際に前記各脚片部の前記支持軸回りの回転を規制する規制手段と、
前記ベース体の上片部よりも内側を左右方向へ延びる前後一対の内側上片部と当該各内側上片部の左右両端よりそれぞれ下方へ延びる下端が前記支持軸に回転自在に支持された左右の内側脚片部とを有し、前記各内側上片部にごみ袋の開口縁部を折り返して把持した状態で当該各内側上片部を前記ベース体の各上片部に対し当接させるように互いの離間方向へ付勢する内側回転体と、
前記内側回転体の各内側上片部及び前記ベース体の各上片部の間に位置しかつ当該両者に対し当接可能な前後の外側上片部と当該各外側上片部の左右両端よりそれぞれ下方へ延びる下端が前記支持軸に回転自在に支持された左右の外側脚片部とを有し、前記各外側上片部が前記各内側上片部の付勢力によって前記ベース体の各上片部に当接するように互いの離間方向へ付勢される前後一対の外側回転体と、
前記各外側回転体に設けられ、前記ごみ袋の開口縁部が閉じられるように前記各内側上片部をその付勢力に抗した前記各外側上片部との当接により閉塞状態に保持する閉塞手段と、
を備えていることを特徴とするごみ袋用スタンド。
【請求項２】
前記ベース体の各脚片部には、台所のシンクに吸着する吸盤が取り付けられている請求項１に記載のごみ袋用スタンド。
【請求項３】
前記支持軸は、上下に互いに平行な支持軸部を有する略Ｕ字状に形成されていて、
前記下側の支持軸部には、前記ベース体の各脚片部同士の中途部が回転自在に支持されている一方、前記上側の支持軸部には、前記内側回転体の内側脚片部の下端及び前記外側回転体の外側脚片部の下端がそれぞれ回転自在に支持されている請求項１又は請求項２に記載のごみ袋用スタンド。
【考案の詳細な説明】
【技術分野】
【０００１】
本考案は、ごみ袋の開口縁部を折り返して把持するようにしたごみ袋用スタンドに関する。
【背景技術】
【０００２】
従来より、左右方向へ延びる上片部とこの上片部の両端よりそれぞれ下方へ延びる左右の脚片部とで略コ字状を呈し、左右の脚片部同士が互いに交差する中途部においてそれぞれ支持軸を介して回転自在に支持された前後一対のベース体と、この一対のベース体に設けられ、各上片部が互いに離間する開放位置まで開放した際に各脚片部の支持軸回りの回転を規制する規制手段とを備え、各上片部を開放位置まで開放した状態で当該各上片部にごみ袋の開口縁部を折り返して把持するようにしたごみ袋用スタンドが知られている（特許文献１参照）。
【先行技術文献】
【特許文献】
【０００３】
【特許文献１】特開２０１１−１１１２７７号公報
【考案の概要】
【考案が解決しようとする課題】
【０００４】
ところが、前記従来のごみ袋用スタンドでは、開放位置まで開放した各上片部にごみ袋の開口縁部が折り返した状態で把持されるため、ごみ袋の開口縁部が常時開放された状態となり、使用時にあっては使い勝手がいいものの、不使用時に開放状態のままでは不衛生となる。
【０００５】
このため、不使用時にごみ袋の開口縁部を閉塞したいという要求があるが、ごみ袋の開口縁部を閉塞するにはベース体の各上片部も閉塞位置に変換しなければならず、これでは各脚片部が折り畳まれてしまい、ごみ袋用スタンドとして機能しなくなる。
【０００６】
本考案は、かかる点に鑑みてなされたものであり、その目的とするところは、ごみ袋の開口縁部が使用時に開放状態となる一方、不使用時にベース体が折り畳まれずに円滑に機能した状態のままでごみ袋の開口縁部のみが閉じられるようにして、ごみ袋の使用時の使い勝手性と不使用時の衛生性との両立を図ることができるごみ袋用スタンドを提供することにある。
【課題を解決するための手段】
【０００７】
前記目的を達成するため、本考案では、ごみ袋用スタンドとして、左右方向へ延びる上片部と前記上片部の両端よりそれぞれ下方へ延びる左右の脚片部とを有し、かつ前記左右の脚片部同士が互いに交差する中途部においてそれぞれ支持軸を介して回転自在に支持された前後一対のベース体と、前記ベース体に設けられ、前記各上片部が互いに離間する開放位置まで回転した際に前記各脚片部の前記支持軸回りの回転を規制する規制手段と、を備える。更に、前記ベース体の上片部よりも内側を左右方向へ延びる前後一対の内側上片部と当該各内側上片部の左右両端よりそれぞれ下方へ延びる下端が前記支持軸に回転自在に支持された左右の内側脚片部とを有し、前記各内側上片部にごみ袋の開口縁部を折り返して把持した状態で当該各内側上片部を前記ベース体の各上片部に対し当接させるように互いの離間方向へ付勢する内側回転体と、前記内側回転体の各内側上片部及び前記ベース体の各上片部の間に位置しかつ当該両者に対し当接可能な前後一対の外側上片部と当該各外側上片部の左右両端よりそれぞれ下方へ延びる下端が前記支持軸に回転自在に支持された左右の外側脚片部とを有し、前記各外側上片部が前記各内側上片部の付勢力によって前記ベース体の各上片部に当接するように互いの離間方向へ付勢される前後一対の外側回転体と、を備える。そして、前記各外側回転体に、前記ごみ袋の開口縁部が閉じられるように前記各内側上片部をその付勢力に抗した前記各外側上片部との当接により閉塞状態に保持する閉塞手段を設けることを特徴としている。
【０００８】
また、前記ベース体の各脚片部に、台所のシンクに吸着する吸盤を取り付けることがこのましい。
【０００９】
更に、前記支持軸を、上下に互いに平行な支持軸部を有する略Ｕ字状に形成する。そして、前記下側の支持軸部に、前記ベース体の各脚片部同士の中途部を回転自在に支持する一方、前記上側の支持軸部に、前記内側回転体の内側脚片部の下端及び前記外側回転体の外側脚片部の下端をそれぞれ回転自在に支持していてもよい。
【考案の効果】
【００１０】
以上、要するに、前後一対のベース体の各脚片部の支持軸に内側回転体の内側脚片部及び外側回転体の外側脚片部を回転自在に支持し、ベース体の各上片部を開放位置に変換した際に互いの離間方向へ付勢する各内側上片部の付勢力によって押された各外側上片部が各内側上片部と共にベース体の各上片部に当接することで、各内側上片部に折り返して把持したごみ袋の開口縁部が使用時に開放する。一方、各内側上片部をその付勢力に抗した各外側上片部との当接によって閉塞状態に変換した際に外側回転体の閉塞手段によって保持することで、ごみ袋の不使用時にベース体が折り畳まれずに円滑に機能した状態のままでごみ袋の開口縁部のみが閉じられる。これにより、ごみ袋の使用時の使い勝手性と不使用時の衛生性との両立を図ることができる。
【００１１】
また、ベース体の各脚片部に、台所のシンクに吸着する吸盤を取り付けることで、シンク内での水の勢いに流されることなく、台所のシンクに吸着してごみ袋用スタンドをしっかりと保持することができる。
【００１２】
更に、略Ｕ字状の支持軸の下側の支持軸部に、ベース体の各脚片部同士の中途部を回転自在に支持する一方、上側の支持軸部に、内側回転体の内側脚片部の下端及び外側回転体の外側脚片部の下端をそれぞれ回転自在に支持することで、単一の支持軸上にベース体の各脚片部同士の中途部と内側回転体の内側脚片部の下端及び外側回転体の外側脚片部の下端とをそれぞれ回転自在に支持する場合に比して軸方向の幅が上下両側の支持軸部に分けられて短くすることが可能となり、軸に作用する軸荷重による負担や見栄えを良好なものにすることができる。
【図面の簡単な説明】
【００１３】
【図１】本考案の実施の形態に係るごみ袋用スタンドを側方から見た側面図である。
【図２】図１のごみ袋用スタンドを正面から見た正面図である。
【図３】図１のごみ袋用スタンドのベース体を側方から見た側面図である。
【図４】図１のごみ袋用スタンドの内側回転体を正面側から見た正面図である。
【図５】図４の内側回転体を側方から見た側面図である。
【図６】図１のごみ袋用スタンドにごみ袋を取り付けた状態を示す側面図である。
【図７】図１のごみ袋用スタンドの外側回転体を正面側から見た正面図である。
【図８】実施の形態の変形例に係るごみ袋用スタンドを側方から見た側面図である。
【図９】図８のごみ袋用スタンドを正面から見た正面図である。
【図１０】図９のごみ袋用スタンドのベース体の開閉位置を説明する説明図である。
【図１１】実施の形態のその他の変形例に係るごみ袋用スタンドを側方から見た側面図である。
【図１２】図１１のごみ袋用スタンドを正面から見た正面図である。
【考案を実施するための形態】
【００１４】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１５】
図１は本考案の実施の形態に係るごみ袋用スタンドを側方から見た側面図、図２は図１のごみ袋用スタンドを正面から見た正面図、図３は図１のごみ袋用スタンドのベース体を側方から見た側面図をそれぞれ示している。
【００１６】
図１〜図３に示すように、ごみ袋用スタンド１は、前後一対のベース体２を備えている。この各ベース体２は、直径約３．１ｍｍのステンレス製の棒材により構成され、左右方向へ延びる上片部２１とこの上片部２１の左右両端よりそれぞれ下方へ延びる左右の脚片部２２，２２とで略コ字状を呈している。
【００１７】
この左右の脚片部２２，２２には、当該左右の脚片部２２，２２同士が互いに交差する中途部においてそれぞれ支持軸２３に対し当該支持軸２３回りに回転自在に巻回する巻回部２４が一体的に設けられている。このとき、各巻回部２４は、支持軸２３の軸線方向への厚みが略半分（略１．５ｍｍ）に設定されている。
【００１８】
更に、各ベース体２は、左右の脚片部２２，２２の下端同士を左右方向へ延びて一体的に連結する脚片底部２５を備えている。この場合、脚片底部２５は、左右の脚片部２２，２２の一部とされている。なお、各ベース体２は、棒材により構成されているが、互いの端部同士の連結部分については図示省略している。
【００１９】
また、各ベース体２は、各上片部２１，２１が互いに離間する開放位置まで開放した際に各脚片部２２の支持軸２３回りのそれ以上の離間方向（開放方向）への回転を規制する規制手段２６，２６を備えている。
【００２０】
この各規制手段２６は、各ベース体２の左右において互いに交差する脚片部２２，２２同士の間に設けられ、支持軸２３と下端との略中間に位置している。具体的には、各ベース体２の左右の各脚片部２２のうちの一方の規制手段２６についてのみ説明するに、前後の両脚片部２２，２２の一方（図１では左側）より他方（図１では右側）へ縦向きに巻回された縦向き巻回部２２１と、基端に縦向きに巻回された基端側巻回部２７１を有し、縦向き巻回部２２１に嵌装された水平方向へ延びるピン軸２８回りに基端側巻回部２７１が回転自在に支持された係止具２７と、前後の両脚片部２２，２２の他方より外方へ横向きに巻回され、係止具２７の先端に設けられた係止片２７２が挿通される横向き巻回部２９とを備えている。
【００２１】
図４は図１のごみ袋用スタンド１の内側回転体を正面側から見た正面図、図５は図４の内側回転体を側方から見た側面図をそれぞれ示している。
【００２２】
図４及び図５にも示すように、ごみ袋用スタンド１は、内側回転体３を備えている。この内側回転体３は、直径約２．０ｍｍのステンレス製の棒材により構成され、左右方向へ延びる前後一対の内側上片部３１，３１とこの各内側上片部３１の左右両端よりそれぞれ下方へ延びる左右の内側脚片部３２，３２とでそれぞれ略コ字状を呈している。左右の内側脚片部３２，３２の先端（下端）同士は、支持軸２３を回転自在に巻回する内側巻回部３３を介して一体的に連結され、側面視で略Ｖ字状を呈している。このとき、内側巻回部３３は、支持軸２３の軸線方向への厚みが略半分（略１ｍｍ）に設定されている。
【００２３】
図６は図１のごみ袋用スタンド１にごみ袋を取り付けた状態を示す側面図を示している。この図６にも示すように、内側回転体３の各内側上片部３１には、ごみ袋Ｇがその開口縁部Ｇ１を外側へ折り返した状態で把持されている。この場合、ごみ袋Ｇとしては、水分が排出される通水性のあるメッシュタイプのものが適用されている。
【００２４】
また、内側回転体３は、前後の内側上片部３１，３１を内側巻回部３３の巻回により互いに離間させる開放方向への付勢力を発生させている。つまり、内側回転体３の前後の内側上片部３１，３１は、内側巻回部３３の付勢力によって、各ベース体２の上片部２１，２１に対し当接した開放状態（図１に実線で示す状態）となるように付勢されている。このとき、内側回転体３の各内側脚片部３２，３２は、各ベース体２の各脚片部２２，２２の支持軸２３からの長さとほぼ同じ長さに設定されている。このため、内側回転体３の各内側上片部３１，３１が付勢力によって各ベース体２の上片部２１，２１に当接し、内側回転体３の各内側上片部３１に把持されたごみ袋Ｇの開口縁部Ｇ１が開放する。
【００２５】
図７は図１のごみ袋用スタンド１の外側回転体を正面側から見た正面図を示している。この図７にも示すように、ごみ袋用スタンド１は、前後一対の外側回転体４，４を備えている。この各外側回転体４は、直径約３．１ｍｍのステンレス製の棒材により構成され、左右方向へ延びる前後一対の外側上片部４１，４１とこの各外側上片部４１の左右両端よりそれぞれ下方へ延びる左右の外側脚片部４２，４２とでそれぞれ略コ字状を呈している。左右の外側脚片部４２，４２の先端（下端）には、支持軸２３を回転自在に巻回する外側巻回部４３が一体的に連結されている。このとき、外側巻回部４３は、支持軸２３の軸線方向への厚みが略半分（略１.５ｍｍ）に設定されている。なお、左右の支持軸２３は、それぞれリベット２０の軸によって構成され、前後の両脚片部２２，２２の巻回部２４，２４、各内側脚片部３２の内側巻回部３３、及び各外側脚片部４２の外側巻回部４３，４３に挿通された単一の軸の先端をカシメすることによって構成されている。
【００２６】
各外側回転体４の外側脚片部４２は、内側回転体３の各内側脚片部３２の支持軸２３からの長さとほぼ同じ長さに設定され、各ベース体２の各脚片部２２の支持軸２３からの長さともほぼ同じ長さに設定されている。このため、各外側回転体４の外側上片部４１は、これよりも内側に位置する内側回転体３の各内側上片部３１，３１の付勢力によって当接し、その各内側上片部３１の付勢力により互いに離間する開放方向へ押されて各ベース体２の上片部２１，２１に対し当接している。
【００２７】
また、各外側回転体４の外側上片部４１には、ごみ袋Ｇの開口縁部Ｇ１を閉塞するように内側回転体３の各内側上片部３１をその付勢力に抗した各外側上片部４１との当接により閉塞状態（図１の二点鎖線で示す状態）に保持する閉塞手段４４が設けられている。この閉塞手段４４は、各外側上片部４１に設けられた一対の留め具４５，４５により構成されている。この留め具４５，４５は、各外側上片部４１の双方より上方へ略８の字状に屈曲され、自身の弾力によって上側の係止部同士が当接しかつ押圧されることによって、内側回転体３の付勢力に抗して閉塞状態に変換された各外側上片部４１がそのまま閉塞状態に保持される。一方、各外側上片部４１を閉塞状態から開放状態に変換する際には、当接した上側の係止部同士を使用者が指で分離させれば各内側上片部３１の付勢力によって押された各外側上片部４１が互いに離間する開放状態に変換される。この場合、各外側回転体４は、がま口の口金としての機能を有している。
【００２８】
更に、各ベース体２の脚片底部２５の左右両端部には、それぞれ下方へ突出する凸部４７，４７が折曲されている。そして、各凸部４７には、台所のシンクＳの底面Ｓ１に吸着する吸盤４８がそれぞれ取り付けられている。
【００２９】
したがって、本実施の形態では、前後一対のベース体２，２の各脚片部２２の支持軸２３に内側回転体３の各内側脚片部３２及び各外側回転体４の各外側脚片部４２がそれぞれ回転自在に支持され、各ベース体２の各上片部２１を開放位置に変換した際に互いの離間方向へ付勢する各内側上片部３１の付勢力によって押された各外側上片部４１が各内側上片部３１と共にベース体２の各上片部２１に当接しているので、各内側上片部３１に対し折り返して把持したごみ袋Ｇの開口縁部Ｇ１が使用時に開放される。一方、各内側上片部３１をその付勢力に抗した各外側上片部４１との当接により閉塞状態に変換した際に外側回転体４の閉塞手段４４の口金片４６，４６同士が互いに係合し合うことによって各内側上片部３１が閉塞状態に保持されるので、ごみ袋Ｇの不使用時にベース体２，２が折り畳まれずに円滑に機能した状態のままでごみ袋Ｇの開口縁部Ｇ１のみが閉じられる。これにより、ごみ袋Ｇの使用時の使い勝手性と不使用時の衛生性との両立を図ることができる。
【００３０】
また、ベース体２，２の各脚片部２２の下端同士を連結する各脚片底部２５の左右の凸部４７，４７に、台所のシンクの底面に吸着する吸盤４８がそれぞれ取り付けられているので、シンク内での水の勢いに流されることなく、台所のシンクの底面に吸着してごみ袋用スタンド１をしっかりと保持することができる。
【００３１】
なお、本考案は前記実施の形態に限定されるものではなく、その他種々の変形例を包含している。例えば、本実施の形態では、各規制手段２６に、前後の両脚片部２２，２２の一方の縦向き巻回部２２１と、縦向き巻回部２２１に嵌装したピン軸２８回りに基端の基端側巻回部２７１が回転自在に支持された係止具２７と、前後の両脚片部２２，２２の他方の横向き巻回部２９とを設け、この横向き巻回部２９に係止具２７先端の係止片２７２を挿通させたが、図８〜図１０に示すような規制手段５１，５１であってもよい。
【００３２】
この各規制手段５１は、同一構成となるので、各ベース体２の左右の各脚片部２２のうちの一方の規制手段５１についてのみ説明する。すなわち、各規制手段５１は、左右の脚片部２２，２２における支持軸２３と下端との略中間において、前後の両脚片部２２，２２の一方（図８では左側）より他方（図８では右側）へ縦向きに巻回された縦向き巻回部５２と、この縦向き巻回部５２に嵌装された水平方向へ延びる一側ピン軸５３回りに基端が回転自在に支持された平板状の一側リンク５４と、前後の両脚片部２２，２２の他方より一方へ縦向きに巻回された縦向き巻回部５５と、この縦向き巻回部５５に嵌装された水平方向へ延びる他側ピン軸５６回りに基端が回転自在に支持された平板状の他側リンク５７と、一側及び他側リンク５４，５７の先端同士を回転自在に支持する先端側ピン軸５８とを備える。そして、一側リンク５４の先端側の上端面に他側リンク５７の先端側の上端面を覆うような庇状の突片５９を設けることで、各上片部２１，２１が開放位置まで開放した際に突片５９を他側リンク５７の先端側の上端面に当接させて各脚片部２２の支持軸２３回りの回転を規制するようにしていてもよい。このとき、規制手段５１は、図１０に二点鎖線で示すように、各上片部２１，２１の閉塞位置への各脚片部２２の支持軸２３回りの回転を許容している。また、これらの規制手段２６，５１が、各ベース体２の左右の各脚片部２２のうちの一方にのみ設けられていてもよい。
【００３３】
また、本実施の形態では、左右の支持軸２３を、それぞれリベット２０の軸によって構成し、前後の両脚片部２２，２２の巻回部２４，２４、各内側脚片部３２の内側巻回部３３、及び各外側脚片部４２の外側巻回部４３，４３に挿通された単一の軸の先端をカシメすることによって構成したが、図１１及び図１２に示すように、支持軸６１が上下に互いに平行な支持軸部６２，６３を有する略Ｕ字状のリベット６０の軸により形成されていてもよい。この場合、下側の支持軸部６３には、各ベース体２の前後の脚片部２２，２２同士の中途部の巻回部２４がそれぞれ回転自在に支持される一方、上側の支持軸部６２には、内側回転体３の各内側脚片部３２下端の内側巻回部３３、及び各外側回転体４の外側脚片部４２下端の外側巻回部４３がそれぞれ回転自在に支持される。これによれば、単一の支持軸２３上にベース体２，２の各脚片部２２同士の巻回部２４と内側回転体３の内側脚片部３２下端の内側巻回部３３、及び各外側回転体４の各外側脚片部４２下端の外側巻回部４３とをそれぞれ回転自在に支持する場合に比して軸方向の幅が上下両側の支持軸部６２，６３に分けられて短くすることが可能となり、上下両側の支持軸部６２，６３に作用する軸荷重による負担や見栄えを良好なものにすることが可能となる。
【００３４】
また、本実施の形態では、側面視で略Ｖ字状を呈する内側回転体３に、前後の内側脚片部３２，３２を内側巻回部３３の巻回により開く方向への付勢力を発生させたが、前後の内側脚片部下端にそれぞれ個別の内側巻回部を設け、この各内側巻回部を支持軸に対し回転自在に支持した状態で、内側回転体の各内側上片部同士に開く方向への付勢力を発生させるコイルスプリングなどの付勢手段を設けるようにしてもよい。
【００３５】
更に、本実施の形態では、ベース体２，２の各脚片底部２５の左右の凸部４７，４７にそれぞれ吸盤４８を取り付けて、ごみ袋用スタンド１を台所のシンクの底面に吸着させたが、ベース体の各脚片部に、台所のシンクの壁面に吸着する吸盤がそれぞれ取り付けられていてもよい。
【００３６】
また、本実施の形態では、外側回転体４の各外側上片部４１に設けた一対の留め具４５，４５により閉塞手段４４を構成したが、外側回転体の各外側上片部にクリップなどの閉塞手段を設け、内側回転体がその付勢力に抗して閉塞状態に変換されるようにしてもよい。
【００３７】
また、本実施の形態では、各ベース体２及び外側回転体４を直径約３．１ｍｍに、内側回転体３を直径約２．０ｍｍにそれぞれ設定したが、各ベース体及び外側回転体は直径約２．６〜５．０ｍｍの範囲内に、内側回転体が直径約１．８〜２．６ｍｍの範囲内のステンレス製の針金材により構成されていてもよい。
【００３８】
更に、本実施の形態では、ごみ袋Ｇとして、水分が排出される通水性のあるメッシュタイプのものを適用したが、通水性の無いビニール袋が適用されていてもよい。
【００３９】
また、本実施の形態では、左右の脚片部２２，２２の下端同士を脚片底部２５により一体的に連結したが、各ベース体が脚片底部を廃止してそれぞれ下方に開口する略コの字状に形成されていてもよい。その場合、脚片底部に設けていた吸盤は、ベース体の各脚片部の下端にそれぞれ設けられていればよい。
【符号の説明】
【００４０】
１        ごみ袋用スタンド
２        ベース体
２１      上片部
２２      脚片部
２３      支持軸
２５      脚片底部（脚片部）
２６      規制手段
３        内側回転体
３１      内側上片部
３２      内側脚片部
４        外側回転体
４１      外側上片部
４２      外側脚片部
４４      閉塞手段
４８      吸盤
５１      規制手段
６１      支持軸
６２      上側の支持軸部
６３      下側の支持軸部
Ｇ        ごみ袋
Ｇ１      開口縁部
Ｓ        シンク
【図１】
0003225452.tif 000003
【図２】
0003225452.tif 000004
【図３】
0003225452.tif 000005
【図４】
0003225452.tif 000006
【図５】
0003225452.tif 000007
【図６】
0003225452.tif 000008
【図７】
0003225452.tif 000009
【図８】
0003225452.tif 000010
【図９】
0003225452.tif 000011
【図１０】
0003225452.tif 000012
【図１１】
0003225452.tif 000013
【図１２】
0003225452.tif 000014